(57)【特許請求の範囲】
【請求項１】
入力装置を介して入力された患者、診療科目及び予約時間を指定した予約要求に基づいて前記患者、診療科目及び予約時間を予約情報として予約情報ファイルへ登録する病院診療予約システムにおいて、
前記予約要求の入力に応じて、この予約要求に含まれる予約時間が前記予約情報ファイルに既に登録された該当患者の他の診療科目に対する予約時間に重複するか否かを判定する他科目重複チェック手段と、
前記予約要求の入力に応じて、この予約要求に含まれる予約時間が前記予約情報ファイルに既に登録された該当診療科目に対する他の患者の予約時間に重複するか否かを判定する他患者重複チェック手段と、
互いに関連する複数の診療科目で構成される計画診療における複数の診療科目及び診療科目相互間の実施順序及び実施時間間隔を記憶する計画診療ファイルと、
前記予約要求の入力に応じて、この予約要求に含まれる診療科目が前記計画診療に含まれるとき、前記計画診療ファイル記憶されている当該診療科目の次に実施すべき診療科目の実施時間を規定予約時間として算出する予約時間算出手段と、
この算出された規定予約時間が前記予約情報ファイルに既に登録されている該当患者の他の診療科目に対する予約時間及び前記次に実施すべき診療科目に対する他の患者の予約時間に重複するか否かを判定する時間重複チェック手段と、
前記各重複チェック手段にて重複すると判定されたとき前記予約要求の予約情報ファイルに対する登録を中止して重複警告を出力する警告手段と
を備えた病院診療予約システム。
【請求項２】
前記予約要求における患者入力に応じて、前記予約情報ファイル内に既に登録されている前記予約要求に含まれる患者の予約情報を読出して表示する表示手段を備えたことを特徴とする請求項１記載の病院診療予約システム。
【請求項３】
入力装置を介して入力された患者、診療科目及び予約時間を指定した予約要求に基づいて前記患者、診療科目及び予約時間を予約情報として予約情報ファイルへ登録するための機械読取り可能なプログラムを記録した記憶媒体であって、
前記プログラムは、コンピュータに、
前記予約要求の入力に応じて、この予約要求に含まれる予約時間が前記予約情報ファイルに既に登録された該当患者の他の診療科目に対する予約時間に重複するか否かを判定させ、
前記予約要求の入力に応じて、この予約要求に含まれる予約時間が前記予約情報ファイルに既に登録された該当診療科目に対する他の患者の予約時間に重複するか否かを判定させ、
互いに関連する複数の診療科目で構成される計画診療における複数の診療科目及び診療科目相互間の実施順序及び実施時間間隔を記憶する計画診療ファイルを保持させ、
前記予約要求の入力に応じて、この予約要求に含まれる診療科目が前記計画診療に含まれるとき、前記計画診療ファイル記憶されている当該診療科目の次に実施すべき診療科目の実施時間を規定予約時間として算出させ、
この算出された規定予約時間が前記予約情報ファイルに既に登録されている該当患者の他の診療科目に対する予約時間及び前記次に実施すべき診療科目に対する他の患者の予約時間に重複するか否かを判定させ、
前記各判定にて重複すると判定されたとき前記予約要求の予約情報ファイルに対する登録を中止して重複警告を出力さる
ことを特徴とするプログラムを記憶した記録媒体。
【発明の詳細な説明】
【０００１】
【発明の属する技術分野】
本発明は、病院の各診療科目における各患者を診察や検査等の診療を行う時間を予め予約登録する病院診療予約システム及びプログラムを記録した記録媒体に関する。
【０００２】
【従来の技術】
大規模病院においては、内科や外科や歯科等のおびただしい数の診療科目が設けられている。そして、一般に、この病院の入院患者又は外来患者は、医師が行う診察や検査員が行う検査等の診療を受けるために、診療科目及び診療時間（予約時間）を指定して、該当診療科目に対する診療の予約を行う。この予約作業は、患者の申告に基づいて行う場合と、医師が診察結果に基づいて次回の診察や検査等の診療を指定（オーダ）する場合とがある。
【０００３】
このような、予約作業は煩雑であるので、一般に図３２に示すシステムで実施されている。例えば、病院に初めてきた外来の患者１は受付近傍に配設された予約システム２において、患者名，希望診療科目及び希望予約時間を職員３に告げる。職員３は患者名，診療科目及び予約時間を予約システム２に入力すると予約情報ファイル４に登録される。
【０００４】
予約情報ファイル４に登録された患者名，診療科目及び予約時間からなる予約情報は、指定された診療科目の予約端末装置へも通知される。患者１は予約情報が印字された予約票５を受領する。
【０００５】
一方、医師６は、自己の診察室に配設されたオーダシステム７に対して、診察結果に基づいて自己が診察した患者に対する次回の診察や検査等の診療科目及び実施日を指定（オーダ）する。オーダシステム７にて指定されたオーダ情報はオーダ情報ファイル８に記憶保持される。看護婦９は、診療科目及び実施日からなるオーダを伝達用紙１０に書込んで、予約システム２の設置位置へ赴き、予約システム２に対する医師のオーダの指定する診療科目及び実施日の条件で予約を取る。医師６が指定した条件で予約が取れなかった場合は、看護婦９又は職員３はその旨を例えば電話等で医師６へ連絡して次の指示を待つ。
【０００６】
【発明が解決しようとする課題】
しかしながら上述したような大規模病院における診療予約システムにおいても、まだ解消すべき次のような課題があった。
【０００７】
すなわち、患者によっては、複数の診療科目で医師の診察を受けたり、複数の診療科目で検査を受ける場合もある。通常予約システムにおいては、各診療科目毎にそれぞれ独立して予約を受付けている。したがって、上述したように、一人の患者が複数の診療科目に亘って予約を登録していた場合は、重複した時間に２種類の診療科目を予約する懸念があった。
【０００８】
特に、各医師にとっては、該当患者が他の診療科目で診療の予約があるか否かの予約情報は、患者の申告に基づいて判断している。しかし、患者から正確な診療科目や正確な予約時間を得ることは困難な場合が多い。
【０００９】
また、例えば検査の診療科目においては、複数の検査装置をこの検査装置の設置数より少ない人数の実施者で検査を実施する場合もある。しかし、上述したように、各診療科目毎に予約を受付けるので、たとえ空いた診療科目に患者の予約時間が割付けられたとしても、該当検査装置を取扱う実施者が存在しない事態が発生する懸念がある。
【００１０】
さらに、医師が患者に指示するオーダによっては、複数の診療科目を所定の時間間隔をあけて実施する必要がある。例えば、アイソトープによる甲状腺機能検査のように、最初の検査では放射線元素を含む薬品を患者に投与し、１カ月後にその放射線元素の何％が甲状腺に集まるかの検査を実施する。このような検査の場合、最初の薬品投与の検査予約と１カ月後の放射線元素測定の検査予約との２つの診療科目に対する予約が必要となる。
【００１１】
しかし、看護婦や職員等の操作者は最初の予約を取った後、１か月等の長期間経過した後に次の検査の予約を取ることになるので、次の検査の予約を取忘れる懸念がある。また、たとえ覚えていたとしても、丁度１か月後に検査の予約が取れる保証はない。
【００１２】
また、例えば患者に対するリハビリテーション等の診療科目によっては、該当診療科目を実施する一人の療法士等の実施者における例えば１日等の規定期間内に実施できる作業時間等の合計実施時間において、実施限界時間が定められている場合がある。このような場合、予約を行う操作者は各実施者の現在までの予約時間の合計を管理していないので、誤って、合計実施時間が実施限界時間を越える予約時間を設定する懸念があった。
【００１３】
また、医師が指示するオーダによっては、例えば検査の診療科目に対する診療が済んでから、診察の診療科目を指定する等の複数の診療科目を相互間の実施順序と共に指示する場合がある。
【００１４】
このような場合、医師のオーダに従って、複数の診療科目を実施順序を考慮しながら予約することは操作者にとって非常に煩雑なことである。
【００１５】
また、図３２に示すように、病院においては、オーダシステム７と予約システム２とがそれぞれ独立して構築されており、かつ各システムの目的及び入力可能項目が異なるので、医師が診察室で指示した診療項目と実施日とからなるオーダは、看護婦９や職員３によって再度予約システム２に入力し直す必要があり、看護婦９や職員３の事務負担が増大する。
【００１６】
また、医師６が指定した条件で予約が取れなかった場合は、看護婦９又は職員３はその旨を例えば電話等で医師６に連絡して次の指示を待つ必要があり、さらに煩雑である。
【００１７】
本発明はこのような事情に鑑みてなされたものであり、患者、診療科目及び予定時間からなる予約要求が入力されると、この予約要求と予約情報ファイルに既に登録されている各患者及び各診療科目における予約情報と比較対照することによって、該当患者における他の診療科目との重複予約や該当診療科目における他の患者との重複予約を未然に防止でき、操作者の精神的負担を大幅に軽減でき、かつシステム全体の信頼性を向上できる病院診療予約システム及びプログラムを記録した記録媒体を提供することを目的とする。
【００１９】
【課題を解決するための手段】
上記課題を解消するために、請求項１においては、入力装置を介して入力された患者、診療科目及び予約時間を指定した予約要求に基づいて前記患者、診療科目及び予約時間を予約情報として予約情報ファイルへ登録する病院診療予約システムにおいて、
予約要求の入力に応じて、この予約要求に含まれる予約時間が予約情報ファイルに既に登録された該当患者の他の診療科目に対する予約時間に重複するか否かを判定する他科目重複チェック手段と、予約要求の入力に応じて、この予約要求に含まれる予約時間が前記予約情報ファイルに既に登録された該当診療科目に対する他の患者の予約時間に重複するか否かを判定する他患者重複チェック手段と、互いに関連する複数の診療科目で構成される計画診療における複数の診療科目及び診療科目相互間の実施順序及び実施時間間隔を記憶する計画診療ファイルと、予約要求の入力に応じて、この予約要求に含まれる診療科目が計画診療に含まれるとき、計画診療ファイル記憶されている当該診療科目の次に実施すべき診療科目の実施時間を規定予約時間として算出する予約時間算出手段と、この算出された規定予約時間が前記予約情報ファイルに既に登録されている該当患者の他の診療科目に対する予約時間及び前記次に実施すべき診療科目に対する他の患者の予約時間に重複するか否かを判定する時間重複チェック手段と、各重複チェック手段にて重複すると判定されたとき前記予約要求の予約情報ファイルに対する登録を中止して重複警告を出力する警告手段とを備えている。
【００２０】
請求項２は、請求項１の病院診療予約システムにおいて、予約要求における患者入力に応じて、予約情報ファイル内に既に登録されている予約要求に含まれる患者の予約情報を読出して表示する表示手段を備えている。
【００２７】
また、請求項３の発明は、入力装置を介して入力された患者、診療科目及び予約時間を指定した予約要求に基づいて患者、診療科目及び予約時間を予約情報として予約情報ファイルへ登録するための機械読取り可能なプログラムを記録した記憶媒体である。
【００２８】
そして、このプログラムは、コンピュータに、
予約要求の入力に応じて、この予約要求に含まれる予約時間が予約情報ファイルに既に登録された該当患者の他の診療科目に対する予約時間に重複するか否かを判定させ、予約要求の入力に応じて、この予約要求に含まれる予約時間が予約情報ファイルに既に登録された該当診療科目に対する他の患者の予約時間に重複するか否かを判定させ、互いに関連する複数の診療科目で構成される計画診療における複数の診療科目及び診療科目相互間の実施順序及び実施時間間隔を記憶する計画診療ファイルを保持させ、予約要求の入力に応じて、この予約要求に含まれる診療科目が計画診療に含まれるとき、計画診療ファイル記憶されている当該診療科目の次に実施すべき診療科目の実施時間を規定予約時間として算出させ、この算出された規定予約時間が予約情報ファイルに既に登録されている該当患者の他の診療科目に対する予約時間及び次に実施すべき診療科目に対する他の患者の予約時間に重複するか否かを判定させ、各判定にて重複すると判定されたとき予約要求の予約情報ファイルに対する登録を中止して重複警告を出力さる。
【００２９】
このように構成された請求項１の病院診療予約システムにおいては、例えば操作者か入力装置を介して患者、診療科目及び予約時間を指定した予約要求を入力すると、この予約要求に含まれる予約時間が予約情報ファイルに既に登録された該当患者の他の診療科目に対する予約時間に重複するか否かが自動的に判定され、かつ、この予約要求に含まれる予約時間が予約情報ファイルに既に登録された該当診療科目に対する他の患者の予約時間に重複するか否かが自動的に判定される。
【００３０】
したがって、該当患者における他の診療科目との重複予約や該当診療科目における他の患者との重複予約を未然に防止でき、操作者の精神的負担を大幅に軽減でき、かつ予約システム全体の信頼性を向上できる。
さらに、入力された予約要求に計画診療ファイルに記憶されている診療科目が含まれると、自動的に次に実施すべき診療科目の実施時間が算出され、次に実施すべき診療科目とともに予約情報ファイルに登録される。この場合、予約情報ファイルに既に登録されている該当患者の他の診療科目に対する予約時間及び次に実施すべき診療科目に対する他の患者の予約時間に重複するか否かが自動的に判定される。
したがって、互いに関連する二つの診療科目が所定の実施順序でかつ所定の実施時間間隔で正しくかつ確実に自動的に予約される。
【００３１】
また、請求項２においては、予約要求における患者入力に応じて該当患者の予約情報が表示出力される。したがって、操作者は該当患者の予約時間を入力する場合に他の診療科目の予約時間に重複しない時間を予約時間とすればよい。
【００４５】
また、請求項３においては、このプログラムを記録した記録媒体を用いることによって、上述した機能を有していない従来の病院診療予約システムに対しても、簡単に上述した機能を付加することができる。
【００４６】
【発明の実施の形態】
以下本発明の各実施形態を図面を用いて説明する。
【００４７】
（第１実施形態）
図１は本発明の第１実施形態に係わる病院診療予約システムの概略構成を示すブロック図である。この病院診療予約システムは一種のコンピュータシステムで構成されている。すなわち、この病院診療予約システムは、例えば磁気ディスク等の記録媒体に記録されたプログラムを読取り、このプログラムを実行することによって動作が制御されるコンピュータによって実現される。
【００４８】
予約情報ファイル１１内には、図２に示すように、この病院の各診療科で医師の診察や各種の検査を受ける全ての患者の予約情報が記憶されている。図２に示す例においては、ＣＴ検査の診療科目に対して２月１日の９時から１１時までの予約時間に患者Ａが予約登録されている。
【００４９】
また、この病院診療予約システム内には、予約情報ファイル１１の他に、患者入力部１２，予約情報抽出部１３，予約情報表示部１４，表示器１５，予約情報入力部１６，他科目チェック部１７と他患者チェック部１８とからなる重複チェック部１９及び警告発生部２０とが設けられている。
【００５０】
患者入力部１２，予約情報入力部１６及び表示器１５はキーボードとＣＲＴ表示装置とマウス等からなる一種のマンマシン装置を構成しており、患者入力部１２はキーボードから患者名を入力したり、既に登録されている患者名を表示画面上で選択する。また、予約情報入力部１６は、該当患者に対して診療科目を指定して予約時間を入力する。そして、患者入力部１２及び予約情報入力部１６は患者、診療科目及び予約時間からなる予約要求を入力する機能を有する。
【００５１】
予約情報抽出部１３は、予約情報ファイル１１内から患者入力部１２で指定された患者に関する予約情報を読出して予約情報表示部１４へ送出する。予約情報表示部１４は受領した患者の予約情報を表示器１５へ表示する。
【００５２】
図４は、予約情報入力部１６にて診療科目を入力した直後における表示器１５に表示された表示内容を示す。具体的には、予約情報ファイル１１から読出された該当診療科目に対して既に予約が登録されている場合における予約時間と患者名が表示される。
【００５３】
他科目チェック部１７は、予約情報入力部１６にて入力された予約時間が予約情報ファイル１１に既に登録された該当患者の他の診療科目に対する予約時間に重複するか否かを判定する。他患者チェック部１８は、予約情報入力部１６にて入力された予約時間が予約情報ファイル１１に既に登録された該当診療科目に対する他の患者の予約時間に重複するか否かを判定する。
【００５４】
次に、図１に示す第１実施形態の病院診療予約システム全体の動作を図３の流れ図を用いて説明する。
【００５５】
流れ図のＰ（プログラムステップ）１にて患者入力部１２から患者名が入力されると、予約情報ファイル１１から該当患者の予約情報を読出して表示器１５へ表示出力する（Ｐ２）。次に、予約情報入力部１６から、予約希望時間が入力されると、重複チェック処理を実行する（Ｐ４）。この重複チェック処理においては、他科目チェック部１７が起動して、予約情報入力部１６にて入力された該当患者の予約時間が予約情報ファイル１１に既に登録された該当患者の他の診療科目に対する予約時間に重複するか否かを判定する。
【００５６】
重複ありの場合は（Ｐ５）、警告発生部２０が起動して重複警告をブザーで告知すると共に表示器１５に表示出力して（Ｐ６）、Ｐ３へ戻り、予約時間入力のやり直しを行う。
【００５７】
Ｐ５にて重複なしの場合は、予約情報入力部１６から、予約対象の診療科目が入力されると（Ｐ７）、該当診療科目に対する予約情報を予約情報ファイル１１から読出して表示器１５へ図４に示すように表示する（Ｐ８）。そして、再度重複チェック処理を実行する（Ｐ９）。この重複チェック処理においては、他患者チェック部１８が起動して、予約情報入力部１６にて入力された該当患者の予約時間が予約情報ファイル１１に既に登録された該当診療科目に対する他の患者の予約時間に重複するか否かを判定する。
【００５８】
重複ありの場合は（Ｐ１０）、警告発生部２０が起動して重複警告をブザーで告知すると共に表示器１５に表示出力して（Ｐ１１）、Ｐ３へ戻る。
【００５９】
Ｐ１２にて重複なしの場合は、入力された患者名，診療科目及び予約時間を予約情報ファイル１１へ登録する。
【００６０】
次に、重複チェック部１９における重複チェックの具体的処理手順を図５及び図６を用いて説明する。
【００６１】
図５（ａ）〜（ｄ）は予約情報ファイル１１に既に登録（確定）済みの予約時間（３〜４）に対して、今回新規に予約時間（１〜２）を登録する場合に、新規予約時間（１〜２）が登録済予約時間（３〜４）に重複するパターンを示す図である。図示するように、（ａ）〜（ｄ）に示す４種類の重複パターンが存在する。
【００６２】
そして、先ず、各予約時間の各開始時刻［１］［３］と各終了時刻［２］［４］を読取る。次に、読取った時刻を時刻の昇順に並べ替（ソート）する。
【００６３】
例えば、図５（ａ）の場合、各開始時刻［１］［３］と各［２］［４］を読取ると図６（ａ）に示す状態になる。そして、読取った時刻を時刻の昇順に並べ替（ソート）えると図６（ｂ）に示す状態になる。
【００６４】
並べ替えた予約時間枠に対する各開始時刻［１］［３］と各終了時刻［２］［４］との並びのパターンで重複の有無を判定する。例えば、図５（ａ）の場合は［３１４２］となり、図５（ｂ）の場合は［１３２４］となる。
【００６５】
一つの予約時間枠例えば［１］［２］の間に他の予約時間枠例えば［３］［４］の一方又は両方が入ると重複と判定し、図６（ｃ）のｅ又はｆに示すように、一つの予約時間枠例えば［１］［２］の間に他の予約時間枠例えば［３］［４］が入らないと重複していないと判定する。
【００６６】
このように構成された第１実施形態の病院診療予約システムにおいては、例えば看護婦９や職員３等の操作者がマンマシン装置等の入力装置を介して患者名を入力すると、該当患者の既に予約登録されている該当患者の診療科目及び予約時間が表示器１５へ表示される。
【００６７】
さらに、操作者が、表示器１５に表示された該当患者の他の診療科目の予約状況を確認した後、マンマシン装置を介して、診療科目及び予約時間を入力すると、この予約時間が予約情報ファイル１１に既に登録された該当患者の他の診療科目に対する予約時間に重複するか否かが自動的に判定され、かつこの予約時間が予約情報ファイル１１に既に登録された今回予約をしようとする該当診療科目に対する他の患者の予約時間に重複するか否かが自動的に判定される。そして、重複している場合は、重複警告が出力される。
【００６８】
したがつて、該当患者における他の診療科目との重複予約や該当診療科目における他の患者との重複予約を未然に防止でき、看護婦や職員等は重複予約を考慮することなく予約操作が実施でき、操作者の精神的負担を大幅に軽減できる。かつシステム全体の信頼性を向上できる。
【００６９】
また、該当患者の予約状況が自動的に表示されるので、予め重複予約にならないように入力できるので、予約作業能率が向上する。
【００７０】
（第２実施形態）
図７は本発明の第２実施形態に係わる病院診療予約システムの概略構成を示すブロック図である。図１に示す第１実施形態の病院診療予約システムと同一部分には同一符号が付してある。したがって、重複する部分の詳細説明は省略されている。
【００７１】
実施者担当者ファイル２１内には、図８に示すように、検査等の診療科目のように複数の診療科目に対してこの診療科目数より少ない人数の実施者で各診療を実施する場合における各実施者が実施可能な診療項目が登録されている。
【００７２】
予約情報ファイル１１ａ内には、図９に示すように、図２で示した第１実施形態の予約情報ファイル１１における診療科目、予約時間及び患者の他に、該当診療の実施を受持つ実施者が登録されている。
【００７３】
また、患者，科目入力部１２ａは患者及び予約対象の診療科目を入力する。予約情報入力部１６ａは実施者及び予約時間を入力する。
【００７４】
図１０は、予約情報入力部１６ａにて、実施者を入力した場合における表示器１５の表示内容を示す図である。図示するように、該当診療項目における各実施者の予約状況が表示される。
【００７５】
さらに、重複チェック部１９ａ内には、他科目チェック部１７及び他患者チェック部１８の他に、実施者チェック部２２が設けられている。この実施者チェック部２２は、予約情報入力部１６ａから入力された予約時間が予約情報ファイル１１ａに既に登録された該当実施者に対する他の患者の予約時間に重複するか否かを判定する。
【００７６】
次に、図７に示す病院診療予約システム全体の動作を図１１の流れ図を用いて説明する。
【００７７】
流れ図のＰ２１にて患者，科目入力部１２ａから患者名及び診療科目（検査項目）が入力されると、予約情報ファイル１１から該当患者の予約情報を読出して表示器１５へ表示出力する。次に、予約情報入力部１６ａから、希望の予約時間が入力されると（Ｐ２２）、Ｐ２３にて他科目チェック部１７を起動して該当患者の予約時間が予約情報ファイル１１に既に登録された該当患者の他の診療科目に対する予約時間に重複するか否かを判定する。
【００７８】
さらに、Ｐ２４にて、他患者チェック部１８を起動して、予約情報入力部１６にて入力された該当患者の予約時間が予約情報ファイル１１に該当診療科目に対する他の患者の予約時間に重複するか否かを判定する。
【００７９】
重複ありの場合は（Ｐ２５）、警告発生部２０が起動して重複警告をブザーで告知すると共に表示器１５に表示出力して（Ｐ２６）、Ｐ２２へ戻る。
【００８０】
Ｐ２５にて重複なしの場合は、実施担当者ファイル２１から該当診療項目（検査項目）の実施者を読出して表示する（Ｐ２７）。予約情報入力部１６ａから実施者が指定されると（Ｐ２８）、実施者チェック部２２が起動して、今回の予約時間が指定した実施者に対して他の患者が登録した予約時間に重複しているか否かの重複チェックを行う（Ｐ２９）。
【００８１】
重複ありの場合は（Ｐ３０）、警告発生部２０が起動して重複警告をブザーで告知すると共に表示器１５に表示出力して（Ｐ３１）、Ｐ２２へ戻る。
【００８２】
Ｐ３０にて重複なしの場合は、入力された患者名、診療科目、実施者及び予約時間を予約情報ファイル１１へ登録する。
【００８３】
このように構成された第２実施形態の病院診療予約システムにおいては、患者科目入力部１２ａ及び予約情報入力部１６ａから、患者、診療科目、予約時間及び該当診療科目の実施者を予約要求として入力すると、この予約要求に含まれる予約時間が予約情報ファイル１１に既に登録された該当患者の他の科目に対する予約時間と重複していないか、また該当診療科目に対する他の患者の予約時間と重複していないかがチェックされる。そして、重複していた場合は、重複警告が出力される。
【００８４】
したがって、図１に示した先の第１実施形態とほぼ同様の技術的効果を得ることができる。
【００８５】
さらに、この第２実施形態の病院診療予約システムにおいては、患者、診療科目、予約時間及び該当診療科目の実施者を入力すると、入力した予定時間が指定した実施者に他の患者に対する予約時間が既に登録されているかがチェックされる。
【００８６】
したがって、たとえ空いた検査項目等の診療科目に新規の患者の予約時間が割付けられたとしても該当検査項目の装置を取扱う実施者が存在しない事態が発生することはない。よって、より綿密に診療予約処理が実行され、システム全体の信頼性をより一層向上できる。
【００８７】
（第３実施形態）
図１２は本発明の第３実施形態に係わる病院診療予約システムの概略構成を示すブロック図である。図１に示す第１実施形態の病院診療予約システムと同一部分には同一符号が付してある。したがって、重複する部分の詳細説明は省略されている。
【００８８】
計画診療ファイル２３内には、図１３に示すように、互いに関連する複数の診療科目及び診療科目相互間の実施順序及び実施時間間隔が記憶されている。
【００８９】
例えばアイソトープの計画診療１においては、最初に薬品投与の診療項目が設定され、所要診療時間は３０分であり、３１日等の所定の実施時間間隔をおいて、２回目の放射線測定の診療項目が設定されている。また、人口透析の計画診療２においては、２日後に人口透析の診療科目が設定される。
【００９０】
予約情報ファイル１１ｂ内には、図２に示した通常の診療項目，予約時間及び患者名からなる予約情報の他に、図１４に示すように、各計画診療における各診療項目、予約時間及び患者名が登録されている。なお、実施形態においては各診療項目は項目番号で登録されている。
【００９１】
患者，科目入力部１２ａは患者及び予約対象の診療科目を入力する。予約情報抽出部１３ａは、入力された患者の既に登録されている予約状況を予約情報ファイル１１ｂから読出して予約情報表部１４へ送出する。また、予約情報抽出部１３ａは入力された診療科目が計画診療ファイル２３に含まれる診療科目の場合、計画診療ファイル２３に記憶されている計画診療の情報を読出して予約情報表部１４へ送出する。
【００９２】
予約時間算出部２４は、患者，科目入力部１２ａで入力された診療科目が計画診療ファイル２３に含まれているとき、この診療科目の次に実施すべき診療科目の実施時間を規定予約時間として算出して、この規定予約時間を重複チェック部１９ｂの時間チェック部２５へ送出する。
【００９３】
重複チェック部１９ｂ内には、他科目チェック部１７及び他患者チェック部１８の他に、時間チェック部２５が設けられている。この時間チェック部２５は、算出された規定予約時間が予約情報ファイル１１ｂに既に登録されている該当患者の他の診療科目に対する予約時間及び次に実施すべき診療科目に対する他の患者の予約時間に重複するか否かを判定する。
【００９４】
図１５は、患者，科目入力部１２ａにて、患者名及び診療科目を入力した場合における表示器１５の表示内容を示す図である。図示するように、該当診療項目における該当患者の計画診療における予約状況が表示される。さらに、該当患者の他科目における予約状況も表示される。
【００９５】
次に、図１２に示す病院診療予約システム全体の動作を図１６の流れ図を用いて説明する。
【００９６】
流れ図のＰ４１にて患者，科目入力部１２ａから患者名及び診療科目（検査項目）が入力されると、該当診療科目が計画診療ファイル２３に記憶された計画診療に含まれない場合（Ｐ４２）、第１実施形態で説明した通常の予約処理を実施する（Ｐ４３）。
【００９７】
計画診療に含まれていた場合、該当診療の時間間隔，関連診療科目等の計画診療の情報を計画診療ファイル２３から読出して表示器１５へ表示する。
【００９８】
そして、Ｐ４５にて、予約情報入力部１６から初回の予約時間が入力されると、この初回の予約時間に対して他科目チェック部１７及び他患者チェック部１８を起動して、それぞれ対応する重複チェック処理を実施する（Ｐ４６）。重複ありの場合は（Ｐ４７）、警告発生部２０が起動して重複警告をブザーで告知すると共に表示器１５に表示出力して（Ｐ５１）、Ｐ４５へ戻る。
【００９９】
Ｐ４８にて重複なしの場合は、予約時間算出部２４を起動して、該当計画診療における関連する次の診療科目を実施する時間である規定予約時間を算出する。そして、時間チェック部２５を起動して、該当規定予約時間に対する他項目チェック処理と他患者エッック処理を実施する（Ｐ４９）。重複ありの場合は（Ｐ５０）、警告発生部２０が起動して重複警告をブザーで告知すると共に表示器１５に表示出力して（Ｐ５１）、Ｐ４５へ戻る。
【０１００】
Ｐ５０にて重複なしの場合は、Ｐ５２で該当計画診療に含まれる全ての診療科目に対する予約時間の決定が終了すると、Ｐ５３へ進み、該当計画診療に含まれる各診療科目、各予約時間及び該当患者を予約情報ファイル１１ｂへ登録する。
【０１０１】
このように構成された第３実施形態の病院診療予約システムにおいては、図１に示した第１実施形態と同様に、新規に入力した診療科目に対する予約時間の重複チェック処理が自動的に実施されるので、第１実施形態とほぼ同様の効果を得ることができる。
【０１０２】
さらに、この第３実施形態においては、計画診療ファイル２３内に、互いに関連する複数の診療科目及び診療科目相互間の実施順序及び実施時間間隔が記憶されている。そして、患者，科目入力部１２ａを介して入力された診療科目に計画診療ファイル２３に記憶されている計画診療に含まれる診療科目に一致すると、予約時間算出部２４において、自動的に次に実施すべき診療科目の実施時間が算出され、次に実施すべき診療科目とともに予約情報ファイル１１に登録される。
【０１０３】
したがって、看護婦９や職員３等の操作者は計画診療に含まれる複数の診療科目及び複数の予約時間を入力する必要がないので、この診療予約システムを用いた予約作業能率が大幅に向上する。
【０１０４】
さらに、この場合、予約情報ファイル１１に既に登録されている該当患者の他の診療科目に対する予約時間及び次に実施すべき診療科目に対する他の患者の予約時間に重複するか否かが自動的に判定され、重複していた場合は警告が出力される。
【０１０５】
したがつて、互いに関連する二つの診療科目が所定の実施順序でかつ所定の実施時間間隔で正しくかつ確実に自動的に予約される。
【０１０６】
（第４実施形態）
図１７は本発明の第４実施形態に係わる病院診療予約システムの概略構成を示すブロック図である。図１に示す第１実施形態の病院診療予約システムと同一部分には同一符号が付してある。したがって、重複する部分の詳細説明は省略されている。
【０１０７】
時間規制診療ファイル２６内には、図１８に示すように、各実施者が実施する特定診療科目の実施限界時間が記憶されている。例えば、リハビリテーションの特定診療科目を実施する実施者としての療法士は１カ月間の実施日数、１日の実施時間等の実施限界時間が設定されている。
【０１０８】
予約情報ファイル１１ｃ内には、図２に示した通常の診療項目，予約時間及び患者名からなる予約情報の他に、図１９に示すように、リハビリテーション等の特定診療科目における各療法士に予約された「簡単」又は「複雑」の種類と、予約時間，患者名等が登録されている。なお、「簡単」又は「複雑」は実施時間（作業時間）の長さを示し、例えば、「簡単」は１５分，「複雑」は３０分を示す。
【０１０９】
患者，科目入力部１２ａは患者及び予約対象の診療科目を入力する。予約情報抽出部１３ａは、入力された患者の既に登録されている予約状況を予約情報ファイル１１ｂから読出して予約情報表部１４へ送出する。また、予約情報抽出部１３ａは入力された診療科目が時間規制診療ファイル２６に記憶されている特定診療項目の場合、この時間規制診療ファイル２６の記憶内容を表示器１５へ表示出力する。
【０１１０】
時間加算部２７は、患者，科目入力部１２ａで入力された診療科目が時間規制診療ファイル２６に含まれる診療科目の場合、今回指定した療法士に対する予約時間に予約情報ファイル１１ｃに記憶された該当療法士の既に登録された各予約時間を加算して合計実施時間を算出する。
【０１１１】
実施時間監視部２８は、時間加算部２７で算出された合計実施時間が時間規制診療ファイル２６に記憶された実施限界時間を越えると、警告発生部２０に対して時間超過の警告を発生させる。
【０１１２】
図２０は、予約情報入力部１６ｂにて、療法士が入力された状態における表示器１５の表示内容を示す図である。図示するように、該当療法士の予約情報ファイル１１ｃに既に登録されている予約時間と患者名と治療の種類（実施時間）が表示される。
【０１１３】
次に、図１７に示す病院診療予約システム全体の動作を図２１の流れ図を用いて説明する。
【０１１４】
流れ図のＰ６１にて患者科目入力部１２ａから患者名及び診療科目が入力されると、該当診療科目が時間規制診療ファイル２６に記憶されたリハビリテーション等の特定診療項目に含まれない場合（Ｐ６２）、第１実施形態で説明した通常の予約処理を実施する（Ｐ６３）。
【０１１５】
特定診療項目の場合、予約情報フアイル１１ｃの該当患者の予約済みの各予約情報を読出して表示器１５へ表示する（Ｐ６４）。
【０１１６】
そして、Ｐ６５にて、予約情報入力部１６ｂから療法士が入力されると、図２０に示すように、該当療法士の予約情報を表示器１５に表示する。次に、該当患者の他の科目に対する重複チェック処理を実施する。また、予約情報入力部１６ｂから予約時間が入力されると、該当療法士に対する重複チェック処理を実施する（Ｐ６６）。重複ありの場合は（Ｐ６７）、警告発生部２０が起動して重複警告をブザーで告知すると共に表示器１５に表示出力して（Ｐ６８）、Ｐ６５へ戻る。
【０１１７】
Ｐ６７にて重複なしの場合は、時間加算部２７を起動して、今回入力した予約時間に予約情報ファイル１１ｃに記憶された該当療法士の既に登録された各予約時間を加算して合計実施時間を算出する（Ｐ６９）。そして、実施時間監視部２８を起動して、算出した合計実施時間が時間規制診療ファイル２６に記憶された実施限界時間を越えると（Ｐ７０）、警告発生部２０に対して時間超過の警告を発生させ（Ｐ７１）、Ｐ６５へ戻る。
【０１１８】
Ｐ７０にて時間超過なしの場合は、Ｐ７２で該当計画診療に含まれる全ての診療科目に対する予約時間の決定が終了すると、Ｐ７２へ進み、該当療法士に対する予約時間，治療の種類（実施時間）、患者名を予約情報ファイル１１ｃへ新規登録する。
【０１１９】
このように構成された第４実施形態の病院診療予約システムにおいては、図１に示した第１実施形態と同様に、新規に入力した診療科目に対する予約時間の重複チェック処理が自動的に実施されるので、第１実施形態とほぼ同様の効果を得ることができる。
【０１２０】
さらに、この第４実施形態においては、時間規制診療ファイル２６内には、例えばリハビリテーションの特定診療科目を実施する実施者としての療法士と実施限界時間が設定されている。そして、患者，科目入力部１２ａから入力される診療項目が特定診療項目のとき、予約情報入力部１６ｂから入力さされた療法士を指定した予約時間に予約情報ファイル１１ｃに記憶された該当療法士の既に登録された各予約時間に加算して合計実施時間が時間加算部２７において自動的に算出される。
【０１２１】
そして、算出された合計実施時間が時間規制診療ファイル２６に記憶されている実施限界時間を越えたとき時間警告が出力される。
【０１２２】
したがって、実施者として療法士に対して実施限界時間を越える予約時間を誤って設定することが未然に防止される。その結果、療法士に超過勤務を強いることが未然に防止され、診療予約システムの信頼性を向上できるとともに適用範囲をさらに拡大できる。
【０１２３】
（第５実施形態）
図２２は本発明の第５実施形態に係わる病院診療予約システムの概略構成を示すブロック図である。図１に示す第１実施形態の病院診療予約システムと同一部分には同一符号が付してある。したがって、重複する部分の詳細説明は省略されている。
【０１２４】
オーダ情報ファイル２９内には、図２３に示すように、医師が自己の診察室のオーダ入力装置で患者を指定して入力した複数の診療科目及びこの診療科目相互間の診療順序が記憶されている。なお、各診療科目に対する予約が確定した場合には、各診療科目に対して各予約時間も設定される。この実施形態においては、患者Ａに対して診療科目としてＸ線撮影と整形診察とがオーダされ、Ｘ線撮影の方が整形診察より先に実施する必要がある。また、同一患者に対してＣＴ検査と整形診察とがオーダされているが、この場合、各診療科目相互間の診療順序は規制されない。
【０１２５】
予約情報ファイル１１内には、図２４に示すように、通常の診療項目，予約時間及び患者名からなる予約情報が登録されている。
【０１２６】
患者，科目入力部１２ａは患者及び予約対象の診療科目を入力する。予約情報抽出部１３ａは、入力された患者及び診療科目がオーダ情報ファイル２９に記憶されていた場合、オーダ情報ファイル２９内の該当患者に関するオーダ情報を予約情報表示部１４を介して表示器１５へ表示すると共に、該当患者の予約状況を予約情報ファイル１１から読出して表示器１５へ表示する。
【０１２７】
実施順序チェック部３０は、予約情報入力部１６ｃを介して入力された診療科目に対する予約時間と、既に予約情報ファイル１１に登録されたこの入力された診療科目に関する関連診療科目の予約時間との関係がオーダ情報ファイル２９に記憶された実施順序に合致するか否かを判断する。合致しないと、警告発生部２０に対して順序誤りの警告を発生させる。
【０１２８】
図２５は、患者，科目入力部１２ａにて入力された患者及び診療科目がオーダ情報ファイル２９に記憶されているオーダ情報に含まれていた場合における、予約情報ファイル１１に既に登録されている該当患者及び診療科目の予約登録状況を示す表示器１５に表示された図である。図示するように、患者Ａに対しては、既に歯科診察と医師にオーダされたＸ線撮影とが登録されている。
【０１２９】
次に、図２２に示す病院診療予約システム全体の動作を図２６の流れ図を用いて説明する。
【０１３０】
流れ図のＰ８１にて患者，科目入力部１２ａから患者名が入力されると、該当患者名がオーダ情報ファイル２９に記憶されていることを確認して、該当オーダ情報ファイル２９に記憶されているオータ情報を読出して表示器１５に表示出力する（Ｐ８２）。
【０１３１】
次に、患者，科目入力部１２ａからオーダ情報ファイル２９に登録されている一つの診療科目が入力され（Ｐ８３）、さらに、予約情報入力部１６ｃで該当診療科目に対する希望の予約時間が入力されると（Ｐ８４）、他科目チェック部１７及び他患者チェック部１８が起動して、該当患者及び該当診療科目に対する予約時間の重複チェック処理が実施される（Ｐ８５）。重複ありの場合は（Ｐ８６）、警告発生部２０が起動して重複警告をブザーで告知すると共に表示器１５に表示出力して（Ｐ８７）、Ｐ８４へ戻り、予約時間の入力をやり直す。
【０１３２】
Ｐ８６にて重複なしの場合は、Ｐ８８へ進み、オーダ情報ファイル２９内に、今回入力した診療科目に対して先に実施すべき診療科目（前診療科目）が存在するか否かを調べる。存在すれば、該当診療科目（前診療科目）が既に予約情報ファイル１１に登録されているか否かを調べる（Ｐ８９）。
【０１３３】
登録済みの場合は、今回入力した予約時間が登録されている先に実施すべき診療科目（前診療科目）の予約時間より後の時刻の場合は（Ｐ９０）、これらの診療科目相互間の実施順序は正常であるので、Ｐ９２へ進み、オーダ情報ファイル２９内にオーダされている該当患者に対する全部の診療科目に対する予約確定処理がまだ終了していない場合は、Ｐ８３へ戻り、次の診療科目の入力を待つ。
【０１３４】
なお、Ｐ９０にて、今回入力した予約時間が登録されている先に実施すべき診療科目（前診療科目）の予約時間より先の時刻の場合は、これらの診療科目相互間の実施順序は誤りであるので、Ｐ９１にて予約時間不適当の警告を出力して、Ｐ８４へ戻る。
【０１３５】
Ｐ８８でオーダ情報ファイル２９内に今回入力した診療科目に対して先に実施すべき診療科目（前診療科目）が存在しない場合、及びＰ８９にて先に実施すべき診療科目が予約情報ファイル１１にまだ登録されていない場合は、直ちにＰ９２に進む。
【０１３６】
Ｐ９２にて、オーダ情報ファイル２９内にオーダされている該当患者に対する全部の診療科目に対する予約確定処理が終了した場合は、Ｐ９３へ進み、今回入力した該当患者の各診療科目，各予約時間及び患者名を予約情報ファイル１１へ登録すると共に、オーダ情報ファイル２９にも登録する。
【０１３７】
このように構成された第５実施形態の病院診療予約システムにおいては、図１に示した第１実施形態と同様に、新規に入力した診療科目に対する予約時間の重複チェック処理が自動的に実施されるので、第１実施形態とほぼ同様の効果を得ることができる。
【０１３８】
さらに、この第５実施形態においては、例えば看護婦９や職員３が患者及び診療科目を指定して予約操作を実施する場合に、該当患者が医師がオーダ入力装置を介してオーダしたオーダ情報ファイル２９内に既に該当診療科目が登録（オーダ）されていた場合は、この診療科目に関連する他の診療科目がオーダ情報ファイル２９内にオーダされ、かつその他の診療科目が先に実施すべき診療科目であるか否かを調べる。そして、該当する場合は、先に実施すべき診療科目の予約時間が既に予約情報ファイル１１に登録されていた場合は、今回入力した予約時間との順序関係を調べて、両方の診療科目の実施時間の順序に矛盾がないことを確認するようにしている。
【０１３９】
したがって、患者に対して医師が指定（オーダ）した実施順序に対して誤った実施順序で各診療科目が予約情報ファイル１１に予約登録されることが未然に防止されるので、この診療予約システムの信頼性をより一層向上できる。
【０１４０】
（第６実施形態）
図２７は本発明の第６実施形態に係わる病院診療予約システムの概略構成を示すブロック図である。図１に示す第１実施形態の病院診療予約システムと同一部分には同一符号が付してある。したがって、重複する部分の詳細説明は省略されている。
【０１４１】
オーダ入力装置３１は、例えば医師の診察室内に配設され、医師が患者を指定して診療科目及び希望の予約時間を入力する装置である。予約要否情報ファイル３２内には、図２８（ａ）に示すように、この病院で実施可能な各診療科目毎に予約の要否が記憶されている。すなわち、医師がオーダする全ての診療科目に対して予約が必要であるとは限らず、予約の必要でない診療科目も存在するからである。
【０１４２】
オーダ情報ファイル２９ａは、図２８（ｂ）に示すように、医師がオーダ入力装置３１を介して入力された患者名，診療科目が記憶されている。なお、各診療科目における予約の要否も記憶される。予約要否判定部３３は、医師がオーダ入力装置３１を介して入力した診療科目の予約要否を予約要否情報ファイル３２を用いて判断する。
【０１４３】
また、登録部３４は、重複チェック部１９で重複なしと判定された患者名，診療科目及び予約時間を予約情報として予約情報ファイル１１へ登録する。
【０１４４】
図３０は、オーダ入力装置３１で指定された患者及び診療科目に関係する予約情報ファイル１１から読出されて表示器１５に表示された予約情報を示す図である。
【０１４５】
次に、図２７に示す病院診療予約システム全体の動作を図３１の流れ図を用いて説明する。
【０１４６】
流れ図のＰ１０１にて医師の操作に基づいてオーダ入力装置３１から患者名が入力され、さらに該当患者に対する診療科目が入力されると（Ｐ１０２）、これらのオーダ情報はオーダ情報ファイル２９ａに書込まれる。次に、予約可否判定部３３が起動され、医師がオーダ入力装置３１を介して入力した診療科目の予約要否を予約要否情報ファイル３２を用いて判断する（Ｐ１０３）。予約が不要の場合は、予約処理を実施する必要がないので、この流れ図の処理を終了する（Ｐ１０５）。
【０１４７】
Ｐ１０４にて予約が必要の場合は、該当患者及び該当診療科目に関係する予約情報を予約情報ファイル１１から読出して、例えば図３０に示すように、表示機１５へ表示出力する（Ｐ１０６）。
【０１４８】
次に、医師がオーダ入力装置３１を介して該当患者及び該当診療科目に対する希望する予約時間が入力されると（Ｐ１０７）、他科目チェック部１７及び他患者チエック部１８を起動して、該当患者及び該当診療科目に対する予約時間の重複チェック処理を実施する（Ｐ１０８）。重複ありの場合は（Ｐ１０９）、警告発生部２０が起動して重複警告をブザーで告知すると共に表示器１５に表示出力して（Ｐ１１０）、Ｐ１０７へ戻り、予約時間の入力をやり直す。
【０１４９】
Ｐ１０６にて重複なしの場合は、登録部３４を起動して、入力された患者名，診療科目及び予約時間からなる予約情報を予約情報ファイル１１へ登録する。
【０１５０】
このように構成された第６実施形態の病院診療予約システムにおいては、図１に示した第１実施形態と同様に、新規に入力した診療科目に対する予約時間の重複チェック処理が自動的に実施されるので、第１実施形態とほぼ同様の効果を得ることができる。
【０１５１】
さらに、この第６実施形態の病院診療予約システムにおいては、医師が診察室に配設されたオーダ入力装置３１を用いて各患者に対する診療科目をオーダ（指示）すると、このオーダ情報はオーダ情報ファイル２９ａに登録されると共に、診療予約システムに自動的にアクセスされる。そして、続いて医師が希望する予約時間を同じくオーダ入力装置３１用いて入力すると、この予約時間の重複チェックが自動実施された後、予約情報ファイル１１に自動登録される。
【０１５２】
このように、従来、医師がオーダを実施するためのオーダシステムと、看護婦９や職員３が予約を実施するための予約システムとを一つのシステムとして構築して、医師が操作するオーダ入力装置から予約システムをアクセス可能としている。
【０１５３】
したがって、医師がオーダと診療予約とをほぼ同一操作で同時に実施できる。したがって、例えば予約がとれなかった場合は、医師が自己の裁量でオーダ内容を変更して、再度予約をとることも可能である。その結果、図３２に示した従来システムのように、オーダ結果に基づいて看護婦９や職員３が予約システムに対して予約作業を実施する必要がないので、システム全体の予約作業能率を大幅に向上できると共に、看護婦９や職員３の作業負担を大幅に低減できる。
【０１５４】
また、予約を取れなかった場合にその旨を医師に告げて指示を仰ぐ必要がないので、希望する予約時間を変更して再度予約をとる場合の作業能率が向上する。
【０１５５】
【発明の効果】
以上説明したように本発明の病院診療予約システム及びプログラムを記憶した記録媒体においては、患者、診療科目及び予定時間からなる予約要求が入力されると、この予約要求と予約情報ファイルに既に登録されている各患者及び各診療科目における予約情報と比較対照して重複予約が発生しないように重複チェックを実施している。
【０１５６】
したがって、該当患者における他の診療科目との重複予約や該当診療科目における他の患者との重複予約を未然に防止でき、操作者の精神的負担を大幅に軽減でき、かつ予約システム全体の信頼性を向上できる
また、複数の診療項目を実施順序や実施間隔も含めて同時に予約できたり、医師のオーダ操作に応じて必要な診療項目の予約が自動的に実施でき、病院における予約業務の事務効率をさらに向上できる。
【図面の簡単な説明】
【図１】  本発明の第１実施形態に係わる病院診療予約システムの概略構成を示すブロック図
【図２】  同病院診療予約システムに組込まれた予約情報ファイルの記憶内容を示す図
【図３】  同病院診療予約システムにおける全体の予約処理動作を示す流れ図
【図４】  同病院診療予約システムの表示器に表示された予約情報を示す図
【図５】  同病院診療予約システムにおける重複チエック処理手順を説明するための図
【図６】  同じく同病院診療予約システムにおける重複チエック処理手順を説明するための図
【図７】  本発明の第２実施形態に係わる病院診療予約システムの概略構成を示すブロック図
【図８】  同病院診療予約システムに組込まれた実施担当者ファイルの記憶内容を示す図
【図９】  同病院診療予約システムに組込まれた予約情報ファイルの記憶内容を示す図
【図１０】  同病院診療予約システムの表示器に表示された予約情報を示す図
【図１１】  同病院診療予約システムにおける全体の予約処理動作を示す流れ図
【図１２】  本発明の第３実施形態に係わる病院診療予約システムの概略構成を示すブロック図
【図１３】  同病院診療予約システムに組込まれた計画診療ファイルの記憶内容を示す図
【図１４】  同病院診療予約システムに組込まれた予約情報ファイルの記憶内容を示す図
【図１５】  同病院診療予約システムの表示器に表示された予約情報を示す図
【図１６】  同病院診療予約システムにおける全体の予約処理動作を示す流れ図
【図１７】  本発明の第４実施形態に係わる病院診療予約システムの概略構成を示すブロック図
【図１８】  同病院診療予約システムに組込まれた時間規制診療ファイルの記憶内容を示す図
【図１９】  同病院診療予約システムに組込まれた予約情報ファイルの記憶内容を示す図
【図２０】  同病院診療予約システムの表示器に表示された予約情報を示す図
【図２１】  同病院診療予約システムにおける全体の予約処理動作を示す流れ図
【図２２】  本発明の第５実施形態に係わる病院診療予約システムの概略構成を示すブロック図
【図２３】  同病院診療予約システムに組込まれたオータ情報ファイルの記憶内容を示す図
【図２４】  同病院診療予約システムに組込まれた予約情報ファイルの記憶内容を示す図
【図２５】  同病院診療予約システムの表示器に表示された予約情報を示す図
【図２６】  同病院診療予約システムにおける全体の予約処理動作を示す流れ図
【図２７】  本発明の第６実施形態に係わる病院診療予約システムの概略構成を示すブロック図
【図２８】  同病院診療予約システムに組込まれた予約要否情報ファイル及びオータ情報ファイルの記憶内容を示す図
【図２９】  同病院診療予約システムに組込まれた予約情報ファイルの記憶内容を示す図
【図３０】  同病院診療予約システムの表示器に表示された予約情報を示す図
【図３１】  同病院診療予約システムにおける全体の予約処理動作を示す流れ図
【図３２】  大規模病院に構築された予約システム及びオーダシステムの概略構成を示す模式図
【符号の説明】
１１，１１ａ，１１ｂ，１１ｃ…予約情報ファイル、１２…患者入力部、１２ａ…患者，科目入力部、１３，１３ａ…予約情報抽出部、１４…予約情報表示部、１５…表示器、１６，１６ａ，１６ｂ，１６ｃ…予約情報入力部、１７…他科目チェック部、１８…他患者チェック部、１９，１９ａ，１９ｂ…重複チェック部、２０…警告出力部、２１…実施担当者ファイル、２２…実施者チェック部、２３…計画診療ファイル、２４…予約時間算出部、２５…時間チェック部、２６…時間規制診療ファイル、２７…時間加算部、２８…実施時間監視部、２９，２９ａ…オーダ情報ファイル、３０…実施順序チェック部、３１…オーダ入力装置、３２…予約要否情報ファイル、３３…予約要否判定部、３４…登録部
【図１】
0004024890.tif 000002
【図２】
0004024890.tif 000003
【図３】
0004024890.tif 000004
【図４】
0004024890.tif 000005
【図５】
0004024890.tif 000006
【図６】
0004024890.tif 000007
【図７】
0004024890.tif 000008
【図８】
0004024890.tif 000009
【図９】
0004024890.tif 000010
【図１０】
0004024890.tif 000011
【図１１】
0004024890.tif 000012
【図１２】
0004024890.tif 000013
【図１３】
0004024890.tif 000014
【図１４】
0004024890.tif 000015
【図１５】
0004024890.tif 000016
【図１６】
0004024890.tif 000017
【図１７】
0004024890.tif 000018
【図１８】
0004024890.tif 000019
【図１９】
0004024890.tif 000020
【図２０】
0004024890.tif 000021
【図２１】
0004024890.tif 000022
【図２２】
0004024890.tif 000023
【図２３】
0004024890.tif 000024
【図２４】
0004024890.tif 000025
【図２５】
0004024890.tif 000026
【図２６】
0004024890.tif 000027
【図２７】
0004024890.tif 000028
【図２８】
0004024890.tif 000029
【図２９】
0004024890.tif 000030
【図３０】
0004024890.tif 000031
【図３１】
0004024890.tif 000032
【図３２】
0004024890.tif 000033